(57)【要約】【課題】本発明は、簡略な構成で効率よく排気ガスの汚染物質を浄化する排気浄化装置を提供する。【解決手段】前処理装置９は、排気浄化装置本体２の送入口５に連通する送風管１０と、送風管１０の他方の端部に設けられて排気ガス１２を取り込む送風機１１により構成される。送風管１０には、管内を塞ぐように多壁面体１７が複数配置され、また、複数の多壁面体１７各々の直上位置に洗浄水１８を給水する給水管２０と、多壁面体１７を流下した洗浄水１８を排水する排水管２１よりなる給排水装置１９が設けられる。排気ガス１２は、送風機１１を用いて送風管１０に取り込まれ、多壁面体１７を通過する際に、自身に含まれる汚染物質が多壁面体１７を流下する洗浄水１８に移行され、浄化される。この後、多壁面体１７を通過した排気ガス１２は、排気浄化装置本体２の外殻３の内方へ送入される。【選択図】　図１
2004052722.tif 000002
【特許請求の範囲】
【請求項１】
排気ガス中の汚染物質を液剤に吸収させて、排気ガスを浄化する排気浄化装置本体と、
水平に配されて、該排気浄化装置本体に一方の端部を連通される送風管、及び該送風管の他方の端部に設置され、送風管の内方に排気ガスを送入する送風機を有してなり、排気浄化装置本体の前部に前処理装置を備える排気浄化装置であって、
前記前処理装置の送風管には、表面積が大きく親水性の壁面を有する多壁面体が、管内を塞ぐように長さ方向に所定の間隔を持って複数離間配置されるとともに、
該多壁面体に排気ガス中の汚染物質を吸収する洗浄水を供給する給水管と、供給した洗浄水を排水する排水管を備えた給排水装置が設けられることを特徴とする排気浄化装置。
【請求項２】
請求項１に記載の排気浄化装置において、
前記送風管に設けられる給排水装置の給水管が、前記送風管の管内に配された複数の多壁面体全てに洗浄水を一括供給するよう、複数の多壁面体各々の上方に配置されることを特徴とする排気浄化装置。
【請求項３】
請求項１に記載の排気浄化装置において、
前記送風管に設けられる給排水装置の給水管が、最も排気浄化装置本体側に配された多壁面体の上方に、前記排水管が最も前記送風機側に配された多壁面体の下方に配置されるとともに、
複数の多壁面体に対して前記給水管より給水された洗浄水を、排気浄化装置本体側から送風機側に向かって、順次多壁面体の上方から通過させることにより供給するよう、前記多壁面体の下方と送風機側で隣り合う多壁面体の上方とを連結し、多壁面体を流下した洗浄水を送風機側で隣り合う多壁面体の上方にくみ上げる連結ポンプが配されることを特徴とする排気浄化装置。
【発明の詳細な説明】
【０００１】
【発明の属する技術分野】
本発明は、排気ガス中の汚染物質を浄化する排気浄化装置に関する。
【０００２】
【従来の技術】
従来より、工場等から排出される排気ガス１２に含まれる有機ガス、酸・アルカリ物質等の汚染物質の浄化には、図３に示すような排気浄化装置１が用いられている。該排気浄化装置１は、筒型の塔形状をなした外殻３よりなる排気浄化装置本体２と、該排気浄化装置本体２の外殻３の内部に、排気ガス１２を送入する前処理装置９とにより構成されている。
前記排気浄化装置本体２の外殻３には、その下方に前処理装置９と連通して外殻３の内部に排気ガス１２を送入する送入口５が設けられるとともに、上方には排気ガス１２に含まれる汚染物質を吸収する液剤８を散水する散水ノズル４が設けられ、さらに前記送入口５と散水ノズル４との中間部には、散水ノズル４より散水された液剤８が付着する充填材６が配されている。
【０００３】
このような構成の排気浄化装置１は、前処理装置９を介して前記送入口５より排気浄化装置本体２の外殻３の内部に排気ガス１２が送入されると、排気ガス１２が上昇して前記充填材６を通過する。このとき外殻３の内部で上方に配された散水ノズル４より散水された液剤８が、充填材６の表面に付着しており、この液剤８と向流接触して排気ガス中の汚染物質が液剤８に移行する。さらに、充填材６を通過して上昇する排気ガス１２は、再度散水ノズル４より散水される液剤８に直接触れて気液接触し、排気ガス１２に残留する汚染物質が液剤８に移行する。これにより、排気ガス１２は浄化され、排気浄化装置本体２の外殻３の上方より排出される。
【０００４】
【発明が解決しようとする課題】
排気ガス１２に含まれる汚染物質が、プロピレングリコールモノメチルエーテルやプロピレングリコールモノメチルエーテルアセテート、乳酸エチル等であり、かつ液剤８として水を用いることを想定した場合、排気ガス１２に含まれる汚染物質の除去には、一般的に排気浄化装置１に９０％以上の除去率を求められることが多い。しかし、水によるこれら従来の排気浄化装置１による汚染物質の吸収処理には限界があり、上述する排気浄化装置１を用いた排気ガス１２の浄化作業では、要求性能を満たすことが困難であった。
【０００５】
上記事情に鑑み、本発明は、簡略な構成で効率よく排気ガスの汚染物質を浄化する排気浄化装置を提供することを特徴としている。
【０００６】
【課題を解決するための手段】
請求項１記載の排気浄化装置は、排気ガス中の汚染物質を液剤に吸収させて、排気ガスを浄化する排気浄化装置本体と、水平に配されて、該排気浄化装置本体に一方の端部を連通される送風管、及び該送風管の他方の端部に設置され、送風管の内方に排気ガスを送入する送風機を有してなり、排気浄化装置本体の前部に前処理装置を備える排気浄化装置であって、前記前処理装置の送風管には、表面積が大きく親水性の壁面を有する多壁面体が、管内を塞ぐように長さ方向に所定の間隔を持って複数離間配置されるとともに、該多壁面体に排気ガス中の汚染物質を吸収する洗浄水を供給する給水管と、供給した洗浄水を排水する排水管を備えた給排水装置が設けられることを特徴としている。
【０００７】
請求項２記載の排気浄化装置は、前記送風管に設けられる給排水装置の給水管が、前記送風管の管内に配された複数の多壁面体全てに洗浄水を一括供給するよう、複数の多壁面体各々の上方に配置されることを特徴としている。
【０００８】
請求項３記載の排気浄化装置は、前記送風管に設けられる給排水装置の給水管が、最も排気浄化装置本体側に配された多壁面体の上方に、前記排水管が最も前記送風機側に配された多壁面体の下方に配置されるとともに、複数の多壁面体に対して前記給水管より給水された洗浄水を、排気浄化装置本体側から送風機側に向かって、順次多壁面体の上方から通過させることにより供給するよう、前記多壁面体の下方と送風機側で隣り合う多壁面体の上方とを連結し、多壁面体を流下した洗浄水を送風機側で隣り合う多壁面体の上方にくみ上げる連結ポンプが配されることを特徴としている。
【０００９】
【発明の実施の形態】
以下、本発明の排気浄化装置を図１に示す。本発明は、排気ガス中の汚染物質を液剤に移行させて浄化する排気浄化装置本体及び前処理装置を備えた排気浄化装置であって、排気浄化装置本体に排気ガスを送入する前段部にも前処理装置を設置し、排気浄化装置本体と同様に排気ガスを浄化する構成を付加し、前処理装置及び排気浄化装置本体の２箇所で排気ガスの浄化処理を行うものである。
【００１０】
図１に示すように、排気浄化装置１は、排気浄化装置本体２と前処理装置９により構成されている。前記排気浄化装置本体２は、一般に用いられているものと同様の筒型の塔形状の外殻３を有しており、その内部には、上方に配される散水ノズル４と、下方に配される送入口５と、両者の中間部の高さ位置に配される充填材６とを備えている。
前記散水ノズル４は、排気ガス１２に含まれる汚染物質を吸収する液剤８を前記外殻３の内方に散水するもので、散水される液剤８は、排気ガス１２に含まれる汚染物質の種類に応じて、水、アルカリ性液剤、酸性液剤等が用いられる。また、前記充填材６は、液剤８と排気ガス１２との接触効率を向上することを目的に用いられるもので、上方に配された前記散水ノズル４より散水された粒状の液剤８が表面に付着しやすいよう表面積が大きく形成され、親水性を有するとともに、排気ガス１２中に含まれる有機ガス等の汚染物質に触れても分解したり脆弱になることのないプラスチック製材料又は、無機材料が用いられている。
【００１１】
これら散水ノズル４に散水され、また充填材６に付着された液剤８は、排気ガス１２に含まれる汚染物質を吸収し、外殻３の下端部に設けられた液槽１３に貯蔵される。ところで、ここで用いられる液剤８は循環使用されるものである。したがって、前記液槽１３には、外殻３の外方に設けられた循環ポンプ１６が連結されており、該循環ポンプ１６を介して液槽１３に貯蔵された液剤８は散水ノズル４に送られて、再度外殻３の内方に散水されることとなる。
なお、所定量以上の汚染物質が含有した液剤８は、循環使用されることなく前記液槽１３に設けられた排水口１５より排水されて、図示しない有機排水処理槽で処理され、また液槽１３には、給水口１４より新たに不足分の液剤８が給水されることとなる。
【００１２】
一方、前記外殻３の下方に設けられた送入口５は、前記前処理装置９と連結されており、前記排気ガス１２が、前処理装置９を介して送入口５から、排気浄化装置本体２の外殻３の内方へ送入される。該前処理装置９は、水平に配されて一方の端部を送入口５に連通する送風管１０と、該送風管１０の他方の端部に設けられて、送風管１０に排気ガス１２を取り込む送風機１１とにより構成されている。このように、送風管１０が水平に配されていることにより、排気ガス１２は、水平流として排気浄化装置本体２の外殻３の内方へ送入されるものである。
該送風管１０には、管内を塞ぐように設けられた多壁面体１７が、該送風管１０の長さ方向に所定の間隔をもって複数配置されている。該多壁面体１７には、ステンレス薄板にポリエステル製布、ポリプロピレン製布等を貼り付けた板材を複数層状に重ね合わせたものや、ガラス繊維布を水ガラス系の接着剤で波状に固着した薄板を複数層状に重ね合わせたもの等が用いられている。
なお、該多壁面体１７は、これにこだわるものではなく、有機ガスに曝されることにより分解したり脆弱とならない材料を用いるとともに、親水性で表面積の大きい多層壁面を形成できるものであれば何れを用いても良く、また、本実施の形態では、送風管１０の管内に多壁面体１７を２箇配置しているが、その数量はこれにこだわるものではなく、排気ガス１２に含まれる汚染物質の水への溶解度や排気ガス１２に含まれる濃度、または必要な除去率を考慮した上で数量を決定すればよい。
【００１３】
また、前記送風管１０には、管内に備えられた多壁面体１７に洗浄水１８を給水する給水管２０、及び多壁面体１７を流下した洗浄水１８を排水する排水管２１を備える給排水装置１９が設けられている。該給水管２０は、前記送風管１０における複数の多壁面体１７各々の直上位置に取り付けられており、排気ガス１２に含まれる汚染物質を吸収する洗浄水１８を、多壁面体１７に供給するものである。本実施の形態において、洗浄水１８は液ガス比を前記排気浄化装置本体２に用いられている液剤８と比較して、１／１００程度である０．００３Ｌ／ｍ３に設定している。しかし、これにこだわるものではなく、洗浄水１８は、前記排気浄化装置本体２に用いられている液剤８を用いても良いし、清浄な補給水を用いても良い。何れも排気ガス１２に含まれる汚染物質の水への溶解度や排気ガス１２に含まれる濃度、または必要な除去率を考慮した上で決定すればよい。
したがって、前記送風機１１により送風管１０内に取り込まれた排気ガス１２は、水平流となって多壁面体１７を通過するが、通過時に汚染物質が多壁面体１７の壁面を流下する洗浄水１８に移行し、排気ガス１２が浄化される。
なお、多壁面体１７の壁面を流下した洗浄水１８は、後に多壁面体１７の下方位置の送風管１０に設けられた図示しない排水受槽を介して排水管２１より排水される。また、排水された洗浄水１８は、循環使用されることはなく、図示しない有機廃水処理槽で処理されることとなる。
【００１４】
このような構成の排気浄化装置１を用いた排気ガス１２の浄化手順を以下に示す。工場等で排出された排気ガス１２は、前記前処理装置７の送風機１１を用いて送風管１０に取り込まれる。該送風管１０内で排気ガス１２は水平流となり、送風管１０内に複数配された多壁面体１７を通過する。多壁面体１７の通過時に、排気ガス１２は、前処理として自身に含まれる汚染物質が多壁面体１７を流下する前記洗浄水１８に移行され、また、汚染物質を吸収した洗浄水１８は、排水管２１より排水される。これら多壁面体１７を通過した排気ガス１２は、前記送風管１０を介して排気浄化装置本体２を構成する外殻３の下方に設けられた送入口５より、外殻３の内方へ送入される。
該外殻３の内方へ送入された排気ガス１２は上昇し、前記充填材６を通過するが、該充填材６に付着した散水ノズル４より散水された粒状の液剤８に向流接触し、効率よく気液接触されて排気ガス１２中の汚染物質が液剤８に移行する。さらに充填材６を通過し上昇する排気ガス１２は、再度散水ノズル４より散水された粒状の液剤８に直に気液接触し、排気ガス１２に残留する汚染物質が液剤８に移行し、排気ガス１２は、浄化される。これらの工程を経て浄化された排気ガス１２は、外殻３の上端部に設けられた排出口７より外方へ排出される。
【００１５】
なお、前記多壁面体１７への給排水装置１９による洗浄水１８の供給は、図１において、前記送風管１０に取り付けられた給水管２０が、複数配置された多壁面体１７各々の直上位置に配置され、全ての多壁面体１７に洗浄水を一括供給する構成を示した。しかし、これにこだわるものではなく、図２に示すように、送風管１０の排気浄化装置本体２側から送風機１１側に向かって順に、洗浄水１８が送風管１０内に配された全て多壁面体１７を連続して上方から流下した後、排水される構成としても良い。この場合には、送風管１０の最も排気浄化装置本体２側に位置する多壁面体１７の直上に給水管２０、最も送風機１１側に配置された多壁面体１７の直下に排水管２１を配置した上で、洗浄水１８が多壁面体１７を流下した後に、送風機１１側で隣り合う多壁面体１７の上方までくみ上げられる工程を繰り返しながら、洗浄水１８が隣り合う多壁面体１７を順に流下するように、前記多壁面体１７の下方と送風機１１側で隣り合う多壁面体１７の上方とを連結するように連結ポンプ２２を配置するものである。
【００１６】
上述する構成による排気浄化装置１について、前記排気ガス１２の流入風速を１．３ｍ／ｓ、排気浄化装置本体２に備えられた充填材６の部材厚を２ｍ、液剤８の液ガス比を４Ｌ／ｍ３　、液剤８に補給する補給水の液ガス比を０．１Ｌ／ｍｉｎ　として設定し、また、前処理装置７には、厚さ２００ｍｍ、表面積約５００ｍ２／ｍ３　の多壁面体１７を２個備え、洗浄水１８に有機物を含まない、液ガス比０．０３Ｌ／ｍ３の清浄水を用いた場合を例に取り、排気ガス１２の汚染物質の除去率を算定した。その結果、前処理装置７による排気ガス１２の浄化処理では、汚染物質の除去率が６２％程度で、その後排気浄化装置本体２で浄化されることにより、排気浄化装置１は排気ガス１２の汚染物質を９４％程度除去することが可能となった。排気浄化装置本体２のみによる排気ガス１２の浄化処理では、汚染物質の除去率は８０％程度であることが一般に知られていることから、その除去効果は１０％以上向上しており、排気浄化装置１に対する、排気ガス１２の浄化処理の要求性能を満足することが可能となる。
【００１７】
このように、前処理装置７における送風管１０の管内に多壁面体１７を配置するとともに、該多壁面体１７に洗浄水１８を供給する給排水装置１９を送風管１０に設けて、多壁面体１７の壁面に洗浄水１８を流下させた状態で、送風管１０の管内に排気ガス１２を通過させて、排気ガス１２の浄化処理を行った上で、この排気ガス１２に対して再度、排気浄化装置本体２で浄化処理を行うことにより、除去効率を大幅に向上することができ、排気浄化装置に対する排気ガスの浄化処理の要求性能を満足することが可能となる。
【００１８】
【発明の効果】
請求項１記載の排気浄化装置によれば、排気ガス中の汚染物質を液剤に吸収させて、排気ガスを浄化する排気浄化装置本体と、水平に配されて、該排気浄化装置本体に一方の端部を連通される送風管、及び該送風管の他方の端部に設置され、送風管の内方に排気ガスを送入する送風機を有してなり、排気浄化装置本体に排気ガスを供給する前処理装置を備える排気浄化装置であって、前記前処理装置の送風管には、表面積が大きく親水性の壁面を有する多壁面体が、管内を塞ぐように長さ方向に所定の間隔を持って複数離間配置されるとともに、該多壁面体に排気ガス中の汚染物質を吸収する洗浄水を供給する給水管と、供給した洗浄水を排水する排水管を備えた給排水装置が設けられることから、排気浄化装置本体と前部の前処理装置の両者で排気ガス中に含まれる汚染物質の除去を行えるため、除去効率を大幅に向上することができ、排気浄化装置に対する排気ガスの浄化処理の要求性能を満足することが可能となる。
【００１９】
請求項２記載の排気浄化装置によれば、前記送風管に設けられる給排水装置の給水管が、前記送風管の管内に配された複数の多壁面体全てに洗浄水を一括供給するよう、複数の多壁面体各々の上方に配置されることから、前処理装置に与えられるスペースが少ない場合にも、効率よく送風管の管内に設けられた多壁面体への洗浄水の給排水を行う給排水装置を設置することが可能となる。
【００２０】
請求項３記載の排気浄化装置によれば、前記送風管に設けられる給排水装置の給水管が、最も排気浄化装置本体側に配された多壁面体の上方に、前記排水管が最も前記送風機側に配された多壁面体の下方に配置されるとともに、複数の多壁面体に対して前記給水管より給水された洗浄水を、排気浄化装置本体側から送風機側に向かって、順次多壁面体の上方から通過させることにより供給するよう、前記多壁面体の下方と送風機側で隣り合う多壁面体の上方とを連結し、多壁面体を流下した洗浄水を送風機側で隣り合う多壁面体の上方にくみ上げる連結ポンプが配されることから、前記送風管の管内に配された複数の多壁面体全てに洗浄水を一括供給する場合と比較して、供給した洗浄水が各多壁面体に分散して供給されることなく、すべてが順に複数の多壁面体を流下するため、前処理装置内における多壁面体を用いた排気ガス中に含まれる汚染物質の除去効率を大幅に向上することができる。
【図面の簡単な説明】
【図１】本発明の排気浄化装置を示す図である。
【図２】本発明の排気浄化装置の他の事例を示す図である。
【図３】従来の排気浄化装置を示す図である。
【符号の説明】
１　排気浄化装置
２　排気浄化装置本体
３　外殻
４　散水ノズル
５　送入口
６　充填材
７　排出口
８　液剤
９　前処理装置
１０　送風管
１１　送風機
１２　排気ガス
１３　液槽
１４　給水口
１５　排水口
１６　循環ポンプ
１７　多壁面体
１８　洗浄水
１９　給排水装置
２０　給水管
２１　排水管
２２　連結ポンプ
【図１】
2004052722.tif 000003
【図２】
2004052722.tif 000004
【図３】
2004052722.tif 000005